(57)【要約】【課題】３Ｄ視聴用メガネ等の電子メガネの着用者に視界不良を起こすこと無く、当該電子メガネの電池残量を通知する。【解決手段】３Ｄ視聴用メガネ１は、その電池残量を検出し、その電池残量が閾値よりも少ない場合は、その電池残量に関する電池残量情報と３Ｄ視聴用メガネ１の個体情報とを含む信号を表示映像機器３０に無線信号Ｓ２として送信する。映像表示機器３０は、無線信号Ｓ２を受信し、その受信信号から前記電池残量情報と前記個体情報とを抽出し、それらの情報を表示部３５に表示する。【選択図】図１
2011259262.tif 000002
【特許請求の範囲】
【請求項１】
表示機器と、
電子メガネと、
を備え、
前記電子メガネは、
電源と、
前記電源の電池残量を検出する電池残量検出部と、
検出された前記電池残量が閾値よりも少ないか否かを判定する制御部と、
前記電池残量が前記閾値よりも少ないと判定された場合に、前記電池残量に関する電池残量情報と前記電子メガネの個体情報とを含む信号を生成する信号生成部と、
生成された前記信号を無線信号として前記表示機器に送信する送信部と、
を備え、
前記表示機器は、
前記電子メガネからの前記信号を受信する受信部と、
受信された前記信号から前記電池残量情報と前記個体情報とを抽出する制御部と、
抽出された前記電池残量情報と前記個体情報とを表示する表示部と、
を備えることを特徴とする電子メガネの電池残量表示方法。
【請求項２】
請求項１に記載の電池残量表示方法であって、
前記表示機器は、立体視聴用の映像を表示し、
前記電子メガネは、前記映像を立体映像として視認させることを特徴とする電子メガネの電池残量表示方法。
【請求項３】
表示機器と、
電子メガネと、
を備え、
前記電子メガネは、
電源と、
前記電源の電池残量を検出する電池残量検出部と、
検出された前記電池残量が閾値よりも少ないか否かを判定する制御部と、
前記電池残量が前記閾値よりも少ないと判定された場合に、前記電池残量に関する電池残量情報と前記電子メガネの個体情報とを含む信号を生成する信号生成部と、
生成された前記信号を無線信号として前記表示機器に送信する送信部と、
を備え、
前記表示機器は、
前記電子メガネからの前記信号を受信する受信部と、
受信された前記信号から前記電池残量情報と前記個体情報とを抽出する制御部と、
抽出された前記電池残量情報と前記個体情報とを表示する表示部と、
を備えることを特徴とする電池残量表示システム。
【請求項４】
請求項３に記載の電池残量表示システムであって、
前記表示機器は、立体視聴用の映像を表示し、
前記電子メガネは、前記映像を立体映像として視認させることを特徴とする電池残量表示システム。
【請求項５】
電源と、
前記電源の電池残量を検出する電池残量検出部と、
検出された前記電池残量が閾値よりも少ないか否かを判定する制御部と、
前記電池残量が前記閾値よりも少ないと判定された場合に、前記電池残量に関する電池残量情報と前記電子メガネの個体情報とを含む信号を生成する信号生成部と、
生成された前記信号を無線信号として前記表示機器に送信する送信部と、
を備えることを特徴とする電子メガネ。
【請求項６】
請求項５に記載の電子メガネであって、
前記電子メガネは、所定の映像表示機器が表示する立体視聴用の映像を立体映像として視認させることを特徴とする電子メガネ。
【請求項７】
所定の電子メガネから送信される無線信号であって、前記所定の電子メガネの電池残量に関する電池残量情報と前記所定の電子メガネの個体情報とを含む前記無線信号を受信する受信部と、
受信された前記無線信号から前記電池残量情報と前記個体情報とを抽出する制御部と、
抽出された前記電池残量情報と前記個体情報とを表示する表示部と、
を備えることを特徴とする表示機器。
【請求項８】
請求項７に記載の表示機器であって、
前記表示機器は、立体視聴用の映像を表示し、
前記所定の電子メガネは、前記映像を立体映像として視認させることを特徴とする表示機器。
【発明の詳細な説明】
【技術分野】
【０００１】
本発明は、立体映像（以降、３Ｄと称す）を表示する映像表示機器等の表示機器に３Ｄ視聴用メガネ等の電子メガネの電池残量を表示する技術に関する。
【背景技術】
【０００２】
３Ｄを表示する技術の中には、映像表示機器に１フィールド毎に左眼用映像および右眼用映像を交互に表示させ、３Ｄ視聴用メガネの左眼位置および右眼位置にそれぞれ左眼用液晶シャッタおよび右眼用液晶シャッタを設け、映像表示機器に右眼用映像が表示されるときは、右眼用液晶シャッタだけ透過状態に切り替えて右眼だけに右眼用映像を認知させ、映像表示機器に左眼用映像が表示されるときは、左眼用液晶シャッタだけ透過状態に切り替えて左眼だけに左眼用映像を認知させる技術がある。この技術の３Ｄ視聴用メガネには、左眼用液晶シャッタおよび右眼用液晶シャッタを駆動するための電源が備えられている。
【０００３】
この種の３Ｄ視聴用メガネでは、従来、３Ｄ視聴用メガネの電池残量が低下すると、左眼用液晶シャッタおよび右眼用液晶シャッタの切り替えタイミングを通常動作時と異なるタイミングに変えることで、３Ｄ視聴用メガネの電池残量の低下を３Ｄ視聴用メガネの着用者に通知している（特許文献１）。
【０００４】
また特許文献２には、電気的に焦点距離を可変できる可変焦点レンズを有する電子メガネが開示されている。この電子メガネにおいては、可変焦点レンズ内に取り付けた発光体を点灯させることにより、電子メガネの着用者に電池残量の低下を通知している。
【先行技術文献】
【特許文献】
【０００５】
【特許文献１】特開平９−０９０２９２号公報
【特許文献２】特開２００９−１８０８６３号公報
【発明の概要】
【発明が解決しようとする課題】
【０００６】
特許文献１の技術では、電池残量低下時における液晶シャッタの切り替えタイミングの変更に伴う視界不良が発生するという問題があった。また特許文献２では、眼前の可変焦点レンズ内に発光体があるため、その発光体により視界が遮られて視界不良となる問題があった。
【０００７】
本発明は、上記のような問題点を解決するためになされたものであり、３Ｄ視聴用メガネ等の電子メガネの着用者に視界不良を起こすこと無く、電子メガネの電池残量を表示する技術を提供することを目的とする。
【課題を解決するための手段】
【０００８】
上記課題を解決する為に、本発明の第１の態様に係る電子メガネの電池残量表示方法は、表示機器と、電子メガネと、を備え、前記電子メガネは、電源と、前記電源の電池残量を検出する電池残量検出部と、検出された前記電池残量が閾値よりも少ないか否かを判定する制御部と、前記電池残量が前記閾値よりも少ないと判定された場合に、前記電池残量に関する電池残量情報と前記電子メガネの個体情報とを含む信号を生成する信号生成部と、生成された前記信号を無線信号として前記表示機器に送信する送信部と、を備え、前記表示機器は、前記電子メガネからの前記信号を受信する受信部と、受信された前記信号から前記電池残量情報と前記個体情報とを抽出する制御部と、抽出された前記電池残量情報と前記個体情報とを表示する表示部と、を備えるものである。
【発明の効果】
【０００９】
本発明の第１の態様によれば、電子メガネの着用者に、視界不良を起こすこと無く、電子メガネの電池残量を表示する事ができる。
【図面の簡単な説明】
【００１０】
【図１】実施の形態１に係る３Ｄ視聴システム１００の構成概略図である。
【図２】３Ｄ視聴用メガネ１と映像表示機器３０との外観概略図である。
【図３】３Ｄ視聴用メガネ１の特徴部分の動作を説明するフローチャートである。
【図４】映像表示機器３０の特徴部分の動作を説明するフローチャートである。
【発明を実施するための形態】
【００１１】
実施の形態１．
この実施の形態に係る電池残量表示システムは、例えば３Ｄ視聴システム１００に適用されており、図１および図２の様に、１つ以上の３Ｄ視聴用メガネ（電子メガネ）１と映像表示機器（表示機器）３０とを備えており、３Ｄ視聴用メガネ１から３Ｄ視聴用メガネ１の電池残量に関する情報（電池残量情報）を送信し、その情報を映像表示機器３０で受信して表示するものである。尚、図１および図２では、一例として３Ｄ視聴用メガネ１は１つだけ図示されている。
【００１２】
この３Ｄ視聴システム１００では、例えば、映像表示機器３０において、立体視聴用の映像として左眼用映像および右眼用映像を１フィールド毎に交互に表示し、他方、３Ｄ視聴用メガネ１において、後述の左眼用液晶シャッタ１３Ｌおよび右眼用液晶シャッタ１３Ｒの各々の遮蔽／透過状態の切り替えを前記左眼用映像および前記右眼用映像の交互表示に連動して行うことで、３Ｄ視聴用メガネ１の着用者に３Ｄ映像を視聴させる技術が用いられている。
【００１３】
映像表示機器３０は、制御部３１と、送受信部３３と、表示部３５とを備えている。
【００１４】
送受信部３３は、映像表示機器３０を遠隔操作するためのリモコン装置などの外部の信号発信機器３７からの無線信号Ｓ１と、３Ｄ視聴用メガネ１からの後述の電池残量情報および個体情報を含む無線信号Ｓ２とを受信する受信機能と、３Ｄ視聴用メガネ１に後述の制御信号（無線信号）Ｓ３を送信する送信機能とを有している。ここでは、無線信号Ｓ１〜Ｓ３には、例えば赤外線信号が用いられている。またここでは、送受信部３３は、送受一体の素子として構成されるが、前記受信機能を有する受信部と、前記送信機能を有する送信部とに別々に構成されてもよい。
【００１５】
表示部３５は、制御部３１の制御に応じて、３Ｄ視聴用の左眼用映像および右眼用映像を例えば１フィールド毎に交互に表示画面に表示すると共に、３Ｄ視聴用メガネ１の電池残量に関する情報（より詳細には電池残量が少ない事を示す情報）（以後、電池残量情報と呼ぶ）と、その３Ｄ視聴用メガネ１の個体情報とを表示画面上の任意の位置（例えば表示画面の周縁）に表示する。
【００１６】
尚ここでは、前記電池残量情報および前記個体情報は、左眼用映像および右眼用映像が表示される表示部３５に表示されるが、表示部３５とは別の表示部を映像表示機器３０に設け、その別の表示部に前記電池残量情報および前記個体情報を表示してもよい。
【００１７】
制御部３１は、表示部３５に交互表示される左眼用映像および右眼用映像の交互表示に連動して、３Ｄ視聴用メガネ１の後述の左眼用液晶シャッタ１３Ｌおよび右眼用液晶シャッタ１３Ｒの各々の遮蔽／透過状態を切り替えさせるための制御信号Ｓ３を生成し、その制御信号Ｓ３を送受信部３３から３Ｄ視聴用メガネ１に無線信号として送信させる。
【００１８】
また制御部３１は、送受信部３３が無線信号を受信した場合に、その受信信号が３Ｄ視聴用メガネ１からの無線信号Ｓ２であるか否か、および信号発信機器３７からの無線信号Ｓ１であるか否かの判定を行う。尚この判定は、例えば、各無線信号Ｓ１，Ｓ２にはそれら各無線信号の送信元が３Ｄ視聴用メガネ１であるか信号発信機器３７であるかを識別する個体情報が含まれており、その個体情報に基づいて行われる。
【００１９】
そして制御部３１は、受信信号が無線信号Ｓ２である場合は、無線信号Ｓ２に含まれる電池残量情報および個体情報を表示部３５に上記の様に表示させる。また受信信号が無線信号Ｓ１である場合は、無線信号Ｓ１に含まれる制御内容（例えば映像表示機器３０に対するリモコン操作に関する制御内容）に従って所要の処理を行う。
【００２０】
３Ｄ視聴用メガネ１は、図１および図２の様に、フレーム３と、電源５と、電池残量検出部７と、制御部８と、送受信部９と、液晶駆動部１１と、左眼用液晶シャッタ１３Ｌおよび右眼用液晶シャッタ１３Ｒと、信号生成部１５とを備えている。
【００２１】
フレーム３は、図２の様に、リム３ａと、ブリッジ３ｂと、テンプル３ｃと、モダン３ｄとを備えている。リム３ａは、左眼用液晶シャッタ１３Ｌおよび右眼用液晶シャッタ１３Ｒの各々の周囲を囲んでそれらを保持する環状部材である。ブリッジ３ｂは、各リム３ａを連結する連結部材である。テンプル３ｃは、各リム３ａの所定部位において着用者の後方に延びる様に設けられた棒状部材である。モダン３ｄは、各テンプル３ｃの一端に設けられて、着用者の耳に掛かる部分である。このフレーム３は、各リム３ａ（従って左眼用液晶シャッタ１３Ｌおよび右眼用液晶シャッタ１３Ｒ）がそれぞれ着用者の右眼および左眼の前に配置し、各モダン３ｄが着用者の耳に掛かられて着用される。
【００２２】
ここでは、各部７，８，９，１１，１５は、例えば１チップマイコンＭＣとして構成されており、１チップマイコンＭＣは、フレーム１の所定部位（例えばリム３ａの正面側の面）に配設されている。電源５もフレーム３の所定部位（例えばリム３ａまたはテンプル３ｃ）に配設されている。
【００２３】
電源５は、例えばリチウムイオン電池等の電池であり、この電源５からの電力により各部７，８，９，１１，１５，１３Ｒ，１３Ｌが稼働する。
【００２４】
電池残量検出部７は、電源５の電池残量を検出しその検出結果を例えば電圧値として制御部８に出力する。
【００２５】
送受信部９は、映像表示機器３０からの制御信号（無線信号）Ｓ３を受信する受信機能と、信号生成部１５により生成される後述の信号を無線信号Ｓ２として送信する送信機能とを有している。ここでは、送受信部９は、送受一体の素子として構成されるが、受信機能を有する受信部と、送信機能を有する送信部とに別々に構成されてもよい。この送受信部９は、送受信部３３と良好な送受信を行うために、例えば、リム３ａの正面（着用者に対して前方）側の面の所定位置に配置されている。
【００２６】
制御部８は、送受信部９を介して映像表示機器３０から受信する制御信号Ｓ３に基づいて、右眼用液晶シャッタ１３Ｒおよび左眼用液晶シャッタ１３Ｌの各々の遮蔽／透過状態を切り替えさせるための制御信号Ｓ４を生成し、その制御信号Ｓ４を液晶駆動部１１に出力する。
【００２７】
また制御部８は、電池残量検出部７の出力（即ち電池残量）を読み出し、その読み出した電池残量が予め設定された閾値を下回るか否かを判定する。そして制御部８は、電池残量が閾値を下回ると判定した場合は、信号生成部１５に信号生成の指示を出し、電池残量が閾値を下回らないと判定した場合は、信号生成部１５に何も指示を出さずに、その判定時から一定時間経過後、再度、電池残量検出部７の出力を読み出して上記の動作を繰り返す。
【００２８】
信号生成部１５は、制御部８より信号生成の指示を受けると、電源５の電池残量に関する情報（電池残量情報）と、３Ｄ視聴用メガネ１の個体情報とを含む送信用信号を生成し、その送信用信号を送受信部９から無線信号Ｓ２として送信させる。尚、３Ｄ視聴用メガネ１の個体情報は、例えば信号生成部１５に予め設定されている。
【００２９】
液晶駆動部１１は、制御部８の制御に応じて、左眼用液晶シャッタ１３Ｌおよび右眼用液晶シャッタ１３Ｒの各々の遮蔽／透過状態を切替駆動する。
【００３０】
左眼用液晶シャッタ１３Ｌおよび右眼用液晶シャッタ１３Ｒはそれぞれ、光を透過する透過状態と光を遮蔽する遮蔽状態とが切替可能な液晶パネルにより構成されており、液晶駆動部１１により、その遮蔽／透過状態が切替駆動される。
【００３１】
次に図３に基づいて、３Ｄ視聴用メガネ１の特徴部分の動作（即ち電池残量情報および個体情報の送信に関する動作）の説明を行う。
【００３２】
まずステップＴ１で、制御部８により、電池残量検出部７の出力（即ち電池残量）が読み出される。そしてステップＴ２で、制御部８により、読み出された電池残量が予め設定された閾値を下回るか否かが判定される。そして電池残量が閾値を下回ると判定された場合は、処理がステップＴ３に移行し、電池残量が閾値を下回らないと判定された場合は、処理がステップＴ５に移行する。
【００３３】
ステップＴ３では、制御部８から信号生成部５に信号生成の指示が出され、これにより信号生成部５により、３Ｄ視聴用メガネ１の当該電池残量に関する情報（電池残量情報）および個体情報を含む送信用信号が生成され、その送信用信号が送受信部９から無線信号Ｓ２として送信される。そして処理が終了する。
【００３４】
他方、ステップＴ５では、制御部８により当該判定時から一定時間の計時が開始される。そしてステップＴ６で、制御部８により一定時間が計時されると、処理がステップＴ１に戻り、上記の処理が繰り返される。
【００３５】
次に図４に基づいて、映像表示機器３０の特徴部分の動作（即ち３Ｄ視聴用メガネ１から受信する電池残量情報および個体情報を表示する動作）の説明を行う。
【００３６】
まずステップＵ１で、送受信部３３により無線信号が受信されると、ステップＵ２で、制御部３１により、その受信信号が３Ｄ視聴用メガネ１からの無線信号Ｓ２であるか否かが判定される。そして、受信信号が無線信号Ｓ２であると判定された場合は、処理がステップＵ３に移行し、受信信号が無線信号Ｓ２でないと判定された場合は、処理がステップＵ５に移行する。
【００３７】
ステップＵ３では、制御部３１により、当該受信信号が解析されその中から電池残量情報および個体情報が抽出される。そしてステップＵ４で、それら電池残量情報および個体情報は、制御部３１から表示部３５に出力され、表示部３５の表示画面上の任意の位置（例えば表示画面の周縁）に表示される。そして処理がステップＵ１に戻る。
【００３８】
他方、ステップＵ５では、制御部３１により、受信信号が信号発信機器３７からの無線信号Ｓ１であるか否かが判定される。そして受信信号が無線信号Ｓ１であると判定された場合は、処理がステップＵ６に移行し、受信信号が無線信号Ｓ１でないと判定された場合は、処理がステップＵ１に戻る。
【００３９】
ステップＵ６では、制御部３１により、無線信号Ｓ１に含まれる制御内容（例えば映像表示機器３０に対するリモコン操作に関する制御内容）に従って所要の処理が行われる。そして処理がステップＵ１に戻り、上記の処理が繰り返される。
【００４０】
以上の様に構成された電池残量表示システムによれば、電子メガネ（ここでは３Ｄ視聴用メガネ）１の電池残量が閾値よりも小さくなると、電子メガネ１から表示機器（ここでは映像表示機器）３０にその電池残量とその電子メガネ１の個体情報とを含む無線信号Ｓ２が送信され、表示機器３０の表示部３５においてその無線信号Ｓ２が受信されて当該電池残量と当該個体情報とが表示されるので、電子メガネ１の着用者に視界不良を起こすこと無く、電子メガネの電池残量を通知できる。
【００４１】
ここではこの電池残量表示システムは３Ｄ視聴システム１００に適用されるので、３Ｄ視聴用メガネ１の着用者に視界不良を起こすこと無く、３Ｄ視聴用メガネの電池残量を表示でき、且つ映像表示機器３０を３Ｄ視聴用メガネ１の電池残量情報および個体情報を表示させる表示機器として兼用できる。
【００４２】
また電子メガネ１は、電子メガネ１の電池残量情報および個体情報とを表示可能な表示機器３０と組み合わせる事で、電子メガネ１の着用者に視界不良を起こすこと無く、電子メガネ１の電池残量を表示できる効果がある。
【００４３】
また電子メガネ１の電池残量情報および個体情報とを表示可能な表示機器３０は、電子メガネ１と組み合わせる事で、電子メガネ１の着用者に視界不良を起こすこと無く、電子メガネ１の電池残量を表示できる効果がある。
【００４４】
尚、３Ｄ視聴システム１００において、３Ｄ視聴用メガネ１が１だけ利用される場合には、個体情報の表示は必須ではない。他方、３Ｄ視聴用メガネ１が複数利用される場合は、何れの３Ｄ視聴用メガネ１において電池残量が低下したかが認識されるように、個体情報を表示する事が望ましい。電池残量が低下した３Ｄ視聴用メガネ１が複数あったとき、それらの個体情報を全て表示することが望ましい。
【００４５】
尚、この実施の形態には、電子メガネ１の電池残量表示方法も含まれるものとする。
【産業上の利用可能性】
【００４６】
本発明は、３Ｄ視聴用メガネおよび３Ｄ対応表示機器に適用可能である。その他、スクランブルされた画像を表示する表示機器及び当該スクランブルされた画像をデスクランブルして視聴する電子メガネに適用可能である。例えば右眼用液晶シャッタ１３Ｒおよび左眼用液晶シャッタ１３Ｌに替えて、受像した画像をデスクランブルする画像変換機能を有してデスクランブル後の画像を表示する表示部を備えてもよい。
【符号の説明】
【００４７】
１  ３Ｄ視聴用メガネ（電子メガネ）、５  電源、７  電池残量検出部、８，３１  制御部、９，３３  送受信部、１５  信号生成部、１１  液晶駆動部、１３Ｌ  左眼用液晶シャッタ、１３Ｒ  右眼用液晶シャッタ、３０  映像表示機器（表示機器）、３５  表示部、ＭＣ  １チップマイコン。
【図１】
2011259262.tif 000003
【図２】
2011259262.tif 000004
【図３】
2011259262.tif 000005
【図４】
2011259262.tif 000006